(57)【要約】【課題】着脱可能なＨＤＤを備える情報処理装置において、取り付け、取り外しの容易さを可能とし、耐震性を向上させた情報処理装置のＨＤＤ支持構造を提供することを目的とする。【解決手段】筺体１内の基板７に固定されるコネクタ８とＨＤＤに備えるコネクタ９とを接続し、筺体１には、筺体に固定されスロットからコネクタ８にＨＤＤ４ａを案内する案内レール６と、コネクタ８の近傍で筺体内、または、案内レール６に固定される係合部材１４とを備え、ＨＤＤ４ａと、ＨＤＤトレイ４ｂと、ＨＤＤトレイに固定され、ＨＤＤトレイの後端部で係合部材１４と係合する位置に設けられる端部材１３とを備えるＨＤＤユニット４と、係合部材及び端部材は、いずれか一方は弾性体、他方は剛体で成形し、ＨＤＤユニットを挿入し、係合部材と端部材とを面接触させ、筺体の前面に固定するとともに、コネクタ９とコネクタ８とを圧接して固定するようにしたことを特徴とする。【選択図】  図１
2013008420.tif 000002
【特許請求の範囲】
【請求項１】
情報処理装置の筺体内の基板に固定される第１のコネクタとＨＤＤに備える第２コネクタとを接続し、当該ＨＤＤを着脱可能に設けられる情報処理装置のＨＤＤ支持構造であって、
前記筺体には、その壁面に前記ＨＤＤを挿入するスロットを設け、さらに、当該筺体に固定され当該スロットから前記第１のコネクタに前記ＨＤＤを案内する前記筺体に固定された案内レールと、前記第１のコネクタの近傍で前記筺体内、または、前記案内レールに固定される係合部材と、を備え、
前記ＨＤＤと、前記ＨＤＤを一つの剛体として固定するＨＤＤトレイと、当該ＨＤＤトレイに固定され、当該ＨＤＤトレイの後端部で前記係合部材と係合する位置に設けられる端部材と、を備えるＨＤＤユニットと、
前記係合部材及び前記端部材は、いずれか一方は弾性体、他方は剛体で成形し、
前記スロットから前記ＨＤＤユニットを挿入して、前記係合部材と端部材とを面接触させ、前記ＨＤＤユニットを前記筺体の前面に固定するとともに、前記第２のコネクタと前記第１のコネクタとを圧接して固定するようにしたことを特徴とする情報処理装置のＨＤＤ支持構造。
【請求項２】
前記トレイの後端部の端部材と前記係合部材はとの接触面は、前記基板の平面に対して２軸の方向で面接触可能な嵌合形状とした請求項１に記載の情報処理装置のＨＤＤ支持構造。
【発明の詳細な説明】
【技術分野】
【０００１】
本発明の実施形態は、情報処理装置のＨＤＤ支持構造に関する。
【背景技術】
【０００２】
社会インフラの分野で使用されるコンピュータは、汎用のパソコンに求められる以上の頑健性、信頼性、及び保守の容易性が要求される。このような要求に答えるコンピュータとして産業用コンピュータがある。
【０００３】
この産業用コンピュータの記憶装置としては、データの高速転送が可能なＳＡＴＡ（Serial Advanced Technology）で、筺体前面パネルから交換が可能なフロント交換タイプのＨＤＤユニットが求められている。
【０００４】
このフロント交換タイプのＨＤＤ(Hard Disk Drive)ユニットを備える産業用コンピュータ２００の例を図５に示す。筺体１の正面部にはＨＤＤユニット４０の入れ替え用のスロット２が設けられている。
【０００５】
ＨＤＤ４ａはＨＤＤトレイ４ｂに底面にて固定され、ＨＤＤトレイ４ｂと一体固定されたＨＤＤユニット４０としてスロット２に差し込まれ、案内レール６にガイドされて、正面ネジ部４ｃにて筐体１へ固定される。
【０００６】
この構成での詳細をＡ−Ａ’断面から見た側面図を図６に示す。筺体１のスロット２の内部にはＨＤＤトレイ４ｂを案内するための案内レール６がトレイの挿入方向に設置され、さらにスロット２の奥部にはコネクタ８を備えた基板７が、ＨＤＤ４ａの先端部に備えられたコネクタ９をＨＤＤトレイ４に押し込んで嵌め合う位置に固定されている。
【０００７】
このような構成においては、ＨＤＤ４ａと筺体１のコネクタ８との電気的な接続が、ＨＤＤトレイ４ａを筐体１に取り付けることで実現できるようにしている。
【０００８】
ＨＤＤ４ａの後端部のコネクタ９と基板７に固定されているコネクタ８とは、ＨＤＤ４ａ本体の寸法公差、ＨＤＤトレイ４ｂの製造上の寸法公差、ＨＤＤ４ａをＨＤＤトレイ４ｂに組み付けた際のＨＤＤユニット４０としての寸法公差、などの誤差要因を加味して設計する必要がある。
【０００９】
そのため、ＨＤＤ４ａのコネクタ９と基板７のコネクタ８とを公差内で嵌合出来るように、実際の設計ではＨＤＤトレイ４ｂと案内レール６との間には適度な隙間１０を設けている。
【００１０】
このような電気的接合部が嵌合しているコネクタ接続においては、ＨＤＤユニット４０が振動した場合にこの電気的接合部が損傷しないようにするため、コネクタ接点間の相対位置を一定に保つ必要がある。
【００１１】
そのため、夫々のコネクタの導体部分を挿脱方向に対して傾斜した傾斜面として成形し、ＨＤＤが本体に装着されるときに、相互の傾斜面が面接触状態に圧接するようコネクタを押圧し、ＨＤＤを押し込む力により、基板側のコネクタとＨＤＤ側のコネクタとが嵌合結合されるように構成した電気接続構造が開示されている（例えば、特許文献１参照。）。
【００１２】
また、ＨＤＤとその取り付けフレームを剛体として一体化し、筺体の取り付けアングルとの間に防振ゴムを介して取り付ける構成の磁気ディスク装置が開示されている（例えば、特許文献２参照。）。
【先行技術文献】
【特許文献】
【００１３】
【特許文献１】特許第３９１９４９４号公報
【特許文献２】特許第２５１１９３０号公報
【発明の概要】
【発明が解決しようとする課題】
【００１４】
上述したような従来の産業用コンピュータ等の情報処理装置においては、ＨＤＤが情報処理装置の筐体と一体の剛体として固定されている場合と異なり、情報処理装置の外部に露出している筺体パネル面のみで固定されるため、筺体内部で隙間１０が生じるのは構造上避けられない。
【００１５】
この隙間１０が存在する状態で外部から筺体全体に衝撃、振動が加えられると、案内レール６とＨＤＤトレイ４ｂとの間で衝突現象が起こり、時には外部から与えられる加速度以上の衝撃力が発生す場合がある。
【００１６】
ＨＤＤ４ａにとっては、衝撃力により内部のディスク及び読み取りヘッドの損傷や、ＨＤＤ４ａ側のコネクタ９と筐体側のコネクタ８との相対変位が大きくなり、コネクタ導体（ピン）間の接触不良を引き起こしたりし、故障のなる可能性がある。
【００１７】
しかしながら、特許文献１及び特許文献２に開示された構成には、ＨＤＤが着脱可能な構成においてＨＤＤの防振を行う技術が開示されていない。
【００１８】
本発明は、上記問題点を解決するためになされたもので、筺体全面から着脱可能なＨＤＤを備える情報処理装置において、取り付け、取り外しの容易さを可能とし、さらに、耐震性を向上させた情報処理装置のＨＤＤ支持構造を提供することを目的とする。
【課題を解決するための手段】
【００１９】
上記目的を達成するために、本実施例による情報処理装置のＨＤＤ支持構造は、情報処理装置の筺体内の基板に固定される第１のコネクタとＨＤＤに備える第２コネクタとを接続し、当該ＨＤＤを着脱可能に設けられる情報処理装置のＨＤＤ支持構造であって、前記筺体には、その壁面に前記ＨＤＤを挿入するスロットを設け、さらに、当該筺体に固定され当該スロットから前記第１のコネクタに前記ＨＤＤを案内する前記筺体に固定された案内レールと、前記第１のコネクタの近傍で前記筺体内、または、前記案内レールに固定される係合部材と、を備え、前記ＨＤＤと、前記ＨＤＤを一つの剛体として固定するＨＤＤトレイと、当該ＨＤＤトレイに固定され、当該ＨＤＤトレイの後端部で前記係合部材と係合する位置に設けられる端部材と、を備えるＨＤＤユニットと、前記係合部材及び前記端部材は、いずれか一方は弾性体、他方は剛体で成形し、前記スロットから前記ＨＤＤユニットを挿入して、前記係合部材と端部材とを面接触させ、前記ＨＤＤユニットを前記筺体の前面に固定するとともに、前記第２のコネクタと前記第１のコネクタとを圧接して固定するようにしたことを特徴とする。
【図面の簡単な説明】
【００２０】
【図１】実施例１の情報処理装置のＨＤＤ支持構造図。
【図２】実施例２の情報処理装置のＨＤＤ支持構造図。
【図３】実施例３の情報処理装置のＨＤＤ支持構造図。
【図４】実施例４の情報処理装置のＨＤＤ支持構造図。
【図５】従来の情報処理装置の着脱構造の説明図。
【図６】従来の情報処理装置の支持構造の説明図。
【発明を実施するための形態】
【００２１】
以下、実施形態の情報処理装置のＨＤＤ支持構造について図面を参照して説明する。
【００２２】
（実施例１）
図１を参照して実施例１を説明する。図１は実施例１の情報処理装置１００のＨＤＤ支持構造を示す。図１（ａ）は、図５に示したように、ＨＤＤユニット４を筐体１内部に取り付けるとき、その挿入方向に対しその側面Ａ−Ａ’から見た内部断面図を示し、図１（ｂ）は図１（ａ）のＹ−Ｙ’横断面から見たコネクタ９側の部分拡大図を示す。
【００２３】
図１に示す情報処理装置のＨＤＤ支持構造は、情報処理装置１００の筺体１内の基板７に固定される第１のコネクタ８とＨＤＤ４ａに備える第２コネクタ９とを接続し、当該ＨＤＤ４ａを着脱可能に設けられる。
【００２４】
図１に示すようにＨＤＤ支持構造は、筺体１の壁面にＨＤＤユニット４を挿入するスロット２を設け、さらに、当該筺体１に固定されスロット２から基板７に固定された第１のコネクタ８にＨＤＤユニット４を案内する筺体１に固定された案内レール６と、第１のコネクタ８の近傍で（筺体１内、または、）案内レール６に固定される係合部材１４と、を備える。
【００２５】
ＨＤＤユニット４は、ＨＤＤ４ａと、ＨＤＤ４ａを一つの剛体として固定するＨＤＤトレイ４ｂと、当該ＨＤＤトレイ４ｂに固定され、ＨＤＤトレイ４ｂの後端部で係合部材１４と係合する位置に設けられる端部材１３と、を備える。
【００２６】
そして、係合部材１４及び端部材１３は、いずれか一方は弾性体、他方は剛体で成形し、スロット２からＨＤＤユニット４ａを挿入して、係合部材１４と端部材１３とを面接触させ、ＨＤＤユニット４ａを筺体１の前面に固定するとともに、第２のコネクタ９と第１のコネクタ８とを圧接して固定する。
【００２７】
図１の各部が、図６と異なる点は、ＨＤＤトレイ４ｂには挿入方向の先端部に端部材１３を備え、この端部材１３の対応するコネクタ８の近傍の位置において、例えば、案内レール６に、弾性体で成形された係合部材１４を備えるようにしたことに有る。
【００２８】
例えば、端部材１３は、図１に示すように先端の形状が垂直方向に３角形の凸形状とし、嵌合する係合部材１４は３角形の凹形状とし、ＨＤＤトレイ４ｂを筺体１に挿入して、ＨＤＤ４ａの第２のコネクタ９と基板７上に固定された第１のコネクタ８とが接続され、突出体１３と係合部材１４が嵌合接続される。
【００２９】
この係合部材１４はゴムなどの弾性体で作られているため、第２のコネクタ９と第１のコネクタ８の位置合わせには影響を与えない。
【００３０】
尚、本実施例には上下方向に対する耐震性を図示したが、端部材１３の形状を水平方向の凸形状とし、嵌合する係合部材１４を凹形状とすることで、直交する２軸方向での耐震性に備えることが可能である。また、凹形状の係合部材をＨＤＤユニットに備え、凸形状の筺体内部に備えても同様の効果が得られる。
【００３１】
また、嵌合形状は、位置決めし易い形状であれば何れの形状でも良い。
【００３２】
本実施例によれば、筺体全面から着脱可能なＨＤＤを備える情報処理装置において、取り付け、取り外しの容易さを可能とし、さらに、耐震性を向上させた情報処理装置のＨＤＤ支持構造を提供することができる。
【００３３】
（実施例２）
図２を参照して実施例２を説明する。図２の各部について、図１各部と同一部分は同一の符号で示し、その説明を省略する。
【００３４】
実施例２が実施例１と異なる点は、図１に示す実施例１では、ＨＤＤトレイ４ｂには挿入方向の先端部に端部材１３を備え、この端部材１３の対応するコネクタ８の近傍の位置において、案内レール６に、弾性体で成形された係合部材１４を備えたが、実施例２では、ＨＤＤ４を搭載したＨＤＤトレイ４ｂ内部の案内レール６の挿入方向先端部に３隅、上下方向と左（右いずれか）に平板の端部材１３ａを備え、この端部材３ａの対向する位置で案内レール６にバネ材で成形された一対の係合部材１４ａを備え、ＨＤＤトレイ４ｂの断面Ｙ−Ｙ’における直交する上下、左右の２方向での変位を抑制するようにしたことにある。
【００３５】
但し、バネ材の硬さは、ＨＤＤトレイ４ｂを筺体１に組み込んだ際に接続されるＨＤＤユニット４側の第２のコネクタ９と基板７の第１のコネクタ８との位置合わせに影響を与えない程度に抑えるように設定する。
【００３６】
本実施例によれば、実施例１同様に、筺体全面から着脱可能なＨＤＤを備える情報処理装置において、取り付け、取り外しの容易さを可能とし、さらに、耐震性を向上させた情報処理装置のＨＤＤ支持構造を提供することができる。
【００３７】
（実施例３）
図３を参照して実施例３を説明する。図３の各部について、図１各部と同一部分は同一の符号で示し、その説明を省略する。
【００３８】
実施例３が実施例１と異なる点は、図１に示す実施例１では、ＨＤＤトレイ４ｂには挿入方向の先端部に端部材１３を備え、この端部材１３の対応するコネクタ８の近傍の位置において、ＨＤＤトレイ４ｂと同程度の長さの案内レール６に弾性体で成形された係合部材１４を備えたが、実施例３では、ＨＤＤ４を搭載したＨＤＤトレイ４ｂを内部の案内レール６ａ長さＬｇを筺体１のスロットからＨＤＤトレイ４ｂの全長Ｌの半分以下の長さとし、またＨＤＤトレイ４ｂの挿入方向先端部に水平及び垂直方向で位置決め可能なＬ形形状の端部材１３ｂを備え、この端部材１３ｂの対向する位置で案内レール６ａにＬ型形状と嵌合する弾性体で成形された係合部材１４ｂを設けるようにしたことにある。
【００３９】
この係合部材１４ｂは適度な弾性を有しており、ＨＤＤトレイ４ｂを収納した際に、ある程度つぶれる構造となっている。また、係合部材１４ｂの厚さは、ＨＤＤトレイ４ｂを筺体１に収納する際に、第２のコネクタ９と第１のコネクタ８が係合しはじめた後でＨＤＤトレイ４ｂと係合部材１４ｂの嵌合接触が始まるような位置に設定する。
【００４０】
一般に、ＨＤＤトレイ４ｂを保持する力が弱くなる。その場合、筺体１が加振されている間内部のＨＤＤトレイ４ｂの振幅が若干大きくなってしまう場合がある。
【００４１】
その場合には、本実施例に示すように、案内レール６ａの長さをＨＤＤトレイ４ｂの全長の半分以下に短くすることで、ＨＤＤトレイ４ｂの振幅が大きい最奥部でのＨＤＤトレイ４ａと案内レール６ａとの干渉を避けるように構成することも出来る。
【００４２】
本実施例３によれば、筺体前面から着脱可能なＨＤＤを備える情報処理装置において、取り付け、取り外しの容易さを可能とし、さらに、耐震性を向上させた情報処理装置のＨＤＤ支持構造を提供することができる。
【００４３】
（実施例４）
図４を参照して実施例４を説明する。実施例４の各部について、図１各部と同一部分は同一の符号で示し、その説明を省略する。
【００４４】
実施例４が実施例１と異なる点は、ＨＤＤトレイ４ｂの挿入方向の先端部に端部材１３を備え、この端部材１３の対応するコネクタ８の近傍の位置において、ＨＤＤトレイ４ｂの案内レール６に弾性体で成形された係合部材１４を備えたが、実施例４では、ＨＤＤトレイ４ｂの端部材１３ｃとして逆Ｕ字状のブラケットを備え、一方、ＨＤＤトレイ６を筺体１に格納した位置において、このブラケットに圧接する、先端を丸く加工し弾性体で成形された係合部材１４ｃを、筺体１または案内レール６に設けるようにしたことにある。
【００４５】
本実施例によれば、筺体前面から着脱可能なＨＤＤを備える情報処理装置において、取り付け、取り外しの容易さを可能とし、さらに、耐震性を向上させた情報処理装置のＨＤＤ支持構造を提供することができる。
【００４６】
本発明のいくつかの実施例を説明したが、これらの実施例は、例として提示したものであり、発明の範囲を限定することを意図していない。これら新規な実施例は、その他の様々な形態で実施されることが可能であり、発明の要旨を逸脱しない範囲で，種々の省略、置き換え、変更を行うことが出来る。これらの実施例やその変形は、発明の要旨に含まれるとともに、特許請求の範囲に記載された発明と均等の範囲に含まれる。
【符号の説明】
【００４７】
１  筺体
２  スロット
４、４０  ＨＤＤユニット
４ａ  ＨＤＤ
４ｂ  ＨＤＤトレイ
４ｃ  固定ネジ
６  案内レール
７  基板
８  第１のコネクタ
９  第２のコネクタ
１０  （ＨＤＤトレイと案内レールとの間の）隙間
１３、１３ａ、１３ｂ、１３ｃ  端部材
１４、１４ａ、１４ｂ、１４ｃ  係合部材
１００、２００  情報処理装置
【図１】
2013008420.tif 000003
【図２】
2013008420.tif 000004
【図３】
2013008420.tif 000005
【図４】
2013008420.tif 000006
【図５】
2013008420.tif 000007
【図６】
2013008420.tif 000008